(57)【特許請求の範囲】
【請求項１】
前後に貫通する窓を囲む内周壁における外側面の前後方向中間と内周壁の周囲を囲む外周壁における内側面の前後方向中間とが隔壁で互いに連結され、内周壁と外周壁と隔壁とからなる前方開放状空間が隔壁の前側に形成され、内周壁と外周壁と隔壁とからなる後方開放状空間が隔壁の後側に形成されたことを特徴する遊技機の前枠。
【請求項２】
隔壁に貫通孔を形成し、貫通孔の周りの隔壁の裏面に表示灯基板を取り付け、表示灯基板に実装された光源を貫通孔を経由して隔壁の前側に突出したことを特徴する請求項１記載の遊技機の前枠。
【請求項３】
内周壁と外周壁と隔壁とからなる前方開放状空間を形成した前側の枠要素と、内周壁と外周壁と隔壁とからなる後方開放状空間を形成した後側の枠要素とが同一形状であって、前側の枠要素における隔壁の裏面と後側の枠要素における隔壁の前面とを互いに接触するように、前側の枠要素と後側の枠要素とが互いに背中合わせに結合されたことを特徴する請求項１記載の遊技機の前枠。
【請求項４】
内周壁より窓の内部には遊技盤を装着するリアプレートが突出されたことを特徴する請求項１記載の遊技機の前枠。
【請求項５】
内周壁における外側面の前後方向中間と内周壁よりも外側の外周壁における内側面の前後方向中間とが隔壁で互いに連結された長尺部材からなる上中下左右の５つの要素を備え、左右の２つの要素における内周壁を互いに左右方向で向かい合わせ、上中の２つの要素における内周壁を互いに上下方向で向かい合わせ、中の１つの要素における外周壁と下の１つの要素における内周壁とを互いに上下方向で向かい合わせ、上中下の３つの要素が左右の２つの要素の間に配置され、これら５つの要素の合せ部分にブラケットをあてがい、各要素の合せ部分とブラケットとを止ねじで結合したことによって、左右上中の４つの要素が前後方向に貫通する窓を囲む構造であることを特徴する遊技機の前枠。
【発明の詳細な説明】
【０００１】
【発明の属する技術分野】
本発明は、パチンコ機又はスロットマシン等の遊技機の前枠に関する。
【０００２】
【従来の技術】
特開平１１−９０００９号公報や特開平１１−１１４１５８号公報並びに特開平１１−２７６６９３号公報等にはパチンコ機の遊技機枠体をマグネシウム合金で作ることが開示されている。
【０００３】
【発明が解決しようとする課題】
しかし、前記従来の遊技機枠体では、軽量化と剛性増加との観点から、断面形状が複雑な構造である。
【０００４】
そこで、本発明は、軽量化と剛性増加とに支障を招くことなく、断面形状の簡素化が図れる遊技機の前枠を提供するものである。
【０００５】
【課題を解決するための手段】
本発明にあっては、前後に貫通する窓を囲む内周壁における外側面の前後方向中間と内周壁の周囲を囲む外周壁における内側面の前後方向中間とが隔壁で互いに連結され、内周壁と外周壁と隔壁とからなる前方開放状空間が隔壁の前側に形成され、内周壁と外周壁と隔壁とからなる後方開放状空間が隔壁の後側に形成されたことを特徴としている。よって、本発明によれば、前枠の強度が高くなり、内周壁や外周壁及び隔壁それぞれを薄肉として前枠の軽量化が図れる。しかも、前枠では隔壁の前後に内周壁と外周壁と隔壁とからなる前方開放状空間又は後方開放状空間が部品の取付けに活用できる。又、本発明にあっては、隔壁に貫通孔を形成し、貫通孔の周りの隔壁の裏面に表示灯基板を取り付け、表示灯基板に実装された光源を貫通孔を経由して隔壁の前側に突出すれば、前方開放状空間および後方開放状空間のそれぞれを表示灯部品の取付けに活用し、前方開放状空間を光源から発光される光の反射面に活用し、発光表示の輝度を向上することができる。又、本発明にあっては、内周壁と外周壁と隔壁とからなる前方開放状空間を形成した前側の枠要素と、内周壁と外周壁と隔壁とからなる後方開放状空間を形成した後側の枠要素とが同一形状であって、前側の枠要素における隔壁の裏面と後側の枠要素における隔壁の前面とを互いに接触するように、前側の枠要素と後側の枠要素とが互いに背中合わせに結合されれば、成形型のコストダウンが図れる。又、本発明にあっては、内周壁より窓の内部には遊技盤を装着するリアプレートが突出されれば、前枠への遊技盤の取付けが容易である。又、本発明にあっては、内周壁における外側面の前後方向中間と内周壁よりも外側の外周壁における内側面の前後方向中間とが隔壁で互いに連結された長尺部材からなる上中下左右の５つの要素を備え、左右の２つの要素における内周壁を互いに左右方向で向かい合わせ、上中の２つの要素における内周壁を互いに上下方向で向かい合わせ、中の１つの要素における外周壁と下の１つの要素における内周壁とを互いに上下方向で向かい合わせ、上中下の３つの要素が左右の２つの要素の間に配置され、これら５つの要素の合せ部分にブラケットをあてがい、各要素の合せ部分とブラケットとを止ねじで結合したことによって、左右上中の４つの要素が前後方向に貫通する窓を囲む構造であれば、部品の種類数が減少できる。
【０００６】
【発明の実施の形態】
図１〜図４は本発明の第１実施形態であって、図１のａ図は図１のｂ図をＡ−Ａ線に沿い切断した断面を示し、図１のｂ図は前枠１の正面を示し、図２は前枠１の詳細を示し、図３はパチンコ機の正面を示し、図４は図３をＢ−Ｂ線に沿い切断した断面を示す。
【０００７】
図１を参照し、前枠１について説明する。前枠１は、マグネシウム合金を材料とした金属成形により、額縁状の内周壁２と額縁状の外周壁３とが額縁状の隔壁４で連結されたＨ字形断面に形成された単一体であって、内周壁２の内側に前後に貫通する窓５を備え、隔壁４の前後に内周壁２と外周壁３と隔壁４とからなる前方開放状空間６又は後方開放状空間７が形成された形状である。
【０００８】
図２を参照し、前枠１の内部構造について説明する。前枠１は内周壁２と外周壁３と隔壁４と繋ぐ多数のリブ８を備えて強度を一層高めた形状である。リブ８は前枠１の正面側と裏面側との双方に形成される。前枠１の左側上下部には上下のヒンジ取付用凹部９が形成され、前枠１の右縁部には施錠装置を逃げるための切欠部１０が形成され、前枠１の下縁部には前後に貫通する多数の穴１１〜１５及び球発射機構取付部１６が形成される。穴１１は上皿装置２４の球受樋を逃げるものであり、穴１２は制御装置を取付けるためのものであり、穴１３はハンドルブリップを取付けるためのものであり、穴１４はファール球を取込むためのものであり、穴１５は下皿装置の球受口を逃げるためのものである。内周壁２より窓５の内部には図４に示すように内周壁２に取付けられたリアプレート２０が突出する。
【０００９】
図３を参照し、パチンコ機について説明する。パチンコ機では、額縁状の外枠２１と前枠１とが互いに上下の枠ヒンジ２２で前方横方向に片開き可能に取付けられる。前枠１の前面には前飾り２３と上皿装置２４とが上下の飾りヒンジ２５で前方横方向に片開き可能に取付けられる。上皿装置２４の下部に配置される下皿装置２７は前枠１に固定される。下皿装置２７の右側にはハンドルグリップ２８が配置される。前飾り２３の中央に形成された窓５にはガラス又は合成樹脂よりなる透視性を有するパネル２９が嵌め込まれる。パネル２９の裏側には前枠１に装着された遊技盤３０が配置される。遊技盤３０の盤面にはガイドレール３１で囲まれた遊技領域を備える。遊技領域にはセンタ役物としての特別図柄表示装置３２、風車３３、入賞口装置３４、変動入賞口装置３５、サイドランプ３６等の部品が取付けられる。
【００１０】
図４を参照し、前飾り２３の側縁部周りについて説明する。前枠１の隔壁４には貫通孔４０が形成され、隔壁４には裏側より表示灯基板４１が取付けられ、表示灯基板４１に実装されたフィラメント球又はＬＥＤ等の光源４２が貫通孔４０を経由して隔壁４の前側に突出する。前枠１の前側を覆う前飾り２３にはレンズパネル４３が取付けられ、光源４２から照射された光がレンズパネル４３を経由して外部に発光表示される。リアプレート２０は内周壁２に固定され、遊技盤３０が前枠１の前側よりリアプレート２０に装着される。
【００１１】
第１実施形態の構造によれば、前枠１が内周壁２と外周壁３と隔壁４とよりなるＨ字形断面を有するので、前枠１の強度が高くなり、内周壁２や外周壁３及び隔壁４それぞれを薄肉として前枠１の軽量化が図れる。しかも、前枠１が内周壁２と外周壁３と隔壁４とよりなるＨ字形断面がマグネシウム合金製であるので、アルミニウムやアルマイト及びその他の軽金属で形成した場合よりも、軽量化と剛性向上とが一段と高い。前枠１では隔壁４の前後に内周壁２と外周壁３と隔壁４とからなる前方開放状空間６又は後方開放状空間７が形成されたので、これらの空間を部品の取付けに活用できる。又、前方開放状空間６に光源４２が格納されることにより、前方開放状空間６を形成する内周壁２と外周壁３及び隔壁４それぞれの前面が光反射面となり、発光表示の輝度が向上する。
【００１２】
図５は本発明の第２実施形態を示す。第２実施形態では内周壁２や外周壁３及び隔壁４からなる前面５０を弧状に形成して、光反射を向上したものである。
【００１３】
図４及び図５における前面５０を研磨やメッキにより鏡面のように仕上げれば、光反射が一層良くなる。当該前面の仕上げを行わずメッキを施せば光が乱反射する。
【００１４】
図６は本発明の第３実施形態を示す。第３実施形態では前枠１を前後の同一形状の枠要素６１に分割し、これらの枠要素６１を背中合わせに結合して、金属成形型のコストダウンを図ったものである。
【００１５】
図７は本発明の第４実施形態を示す。第４実施形態ではＨ字形断面の長尺なマグネシウム合金よりなる金属部材を上中下左右の５つの要素７１〜７４に切断し、これらの要素７１〜７４の合せ部分に金属製のブラケット７６をあてがい、各要素７１〜７４の合せ部分とブラケット７６とを止ねじ７７で結合した構造である。この場合、上中下の要素７１〜７３相互は同じ形状であり、左右の要素７４；７５相互は同じ形状であるので、部品の種類数が減少できる。
【００１６】
図８は本発明の第５実施形態を示す。第５実施形態は図７における２つの要素に相当する２つの要素８１；８２の合せ部分を止ねじ８３で結合したものである。
【００１７】
図９は本発明の第６実施形態を示す。第６実施形態は図７における２つの要素に相当する２つの要素９１；９２の合せ部分において、突合わせた隔壁４に金属製のブラケット９３を重ね合わせて止ねじ９４で２つの要素９１；９２とブラケット９３とを結合したものである。
【００１８】
図１０は本発明の第７実施形態を示す。第７実施形態は図７における２つの要素に相当する２つの要素１０１；１０２を互いに直交状に近づけておき、金属製のブラケット１０３の一端部を一方の要素１０１の隔壁４に重ね合わせると共に、ブラケット１０３の他端部を他方の要素１０２の隔壁４にて重ね合わせた状態で、２つの要素１０１；１０２とブラケット１０３とを止ねじ１０４で結合したものである。
【００１９】
前枠の材料としてはマグネシウム合金以外のアルミニウムやアルマイト等の軽金属やそれ以外の金属又は金属以外の合成樹脂でも使用可能である。
【００２０】
遊技機枠体はスロットマシンにも使用できることは勿論である。又、前枠以外に外枠にも適用できる。
【図面の簡単な説明】
【図１】本発明の第１実施形態の前枠であって、ａ図はＡ−Ａ線断面図、ｂ図は正面図。
【図２】同第１実施形態の前枠の詳細を示す正面図。
【図３】同第１実施形態のパチンコ機の正面図。
【図４】図３のＢ−Ｂ線断面図。
【図５】本発明の第２実施形態を示す断面図。
【図６】本発明の第３実施形態を示す平面図。
【図７】本発明の第４実施形態を示す正面図。
【図８】本発明の第５実施形態を示す正面図。
【図９】本発明の第６実施形態を示す正面図。
【図１０】本発明の第７実施形態を示す正面図。
【符号の説明】
１  前枠
２  内周壁
３  外周壁
４  隔壁
６１  枠要素
７１〜７４  要素
８１；８２  要素
９１；９２  要素
１０１；１０２  要素
【図１】
0003592206.tif 000002
【図２】
0003592206.tif 000003
【図３】
0003592206.tif 000004
【図４】
0003592206.tif 000005
【図５】
0003592206.tif 000006
【図６】
0003592206.tif 000007
【図７】
0003592206.tif 000008
【図８】
0003592206.tif 000009
【図９】
0003592206.tif 000010
【図１０】
0003592206.tif 000011